(57)【要約】    【課題】      駆動モータ及び伝達ギアによる振動の読取キャリッジが組み込まれる本体装置への伝達並びに緩衝部材の変形による読取キャリッジの移動精度の低下を回避して高解像度・高精度の画像品質で画像を読み取ること。    【解決手段】  本体装置に組み込まれ原稿上の情報を主走査ライン単位に読み取りつつ副走査移動する読取キャリッジと、軸受けを支点に回転する駆動軸を有する駆動モータ２０２と、駆動モータ２０２の駆動軸の回転に応じて読取キャリッジを副走査移動させる駆動ベルト２０５等からなる移動手段と、駆動軸に連結され当該駆動軸の回転を移動手段に伝達する伝達ギア２０４等からなる伝達手段と、を備えた読取キャリッジ駆動機構において、駆動モータ２０２を防振弾性体としてのゴムを介して本体装置に固定し、伝達手段を本体装置に固定された駆動モータ２０２に対して取り付ける。  【選択図】      図４
2005062698.tif 000002
【特許請求の範囲】
【請求項１】
本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられることを特徴とする読取キャリッジ駆動機構。
【請求項２】
前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有することを特徴とする請求項１記載の読取キャリッジ駆動機構。
【請求項３】
前記駆動軸における前記伝達手段と連結された端部と反対側の端部にフライホイール付きダンパーを備えることを特徴とする請求項１記載の読取キャリッジ駆動機構。
【請求項４】
前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結されることを特徴とする請求項１記載の読取キャリッジ駆動機構。
【請求項５】
前記保持部材は、金属性であることを特徴とする請求項４記載の読取キャリッジ駆動機構。
【請求項６】
本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられることを特徴とする画像読取装置。
【請求項７】
前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有することを特徴とする請求項６記載の画像読取装置。
【請求項８】
前記駆動軸における前記伝達手段と連結された端部と反対側の端部にフライホイール付きダンパーを備えることを特徴とする請求項６記載の画像読取装置。
【請求項９】
前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結されることを特徴とする請求項６記載の画像読取装置。
【請求項１０】
前記保持部材は、金属性であることを特徴とする請求項９記載の画像読取装置。
【請求項１１】
本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられることを特徴とする複写機。
【請求項１２】
前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有することを特徴とする請求項１１記載の複写機。
【請求項１３】
前記駆動軸における前記伝達手段と連結された端部と反対側の端部にフライホイール付きダンパーを備えることを特徴とする請求項１１記載の複写機。
【請求項１４】
前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結されることを特徴とする請求項１１記載の複写機。
【請求項１５】
前記保持部材は、金属性であることを特徴とする請求項１４記載の複写機。
【発明の詳細な説明】
【技術分野】
【０００１】
本発明は、原稿を読み取るキャリッジを駆動する読取キャリッジ駆動機構並びにこれを備えた画像読取装置及び複写機に関する。
【背景技術】
【０００２】
従来の画像読取装置及び複写機においては、原稿台の上に載せた原稿から画像を読み取るため、原稿台の全域を光学的に走査するための読取走査モジュールが本体装置の中に組み込まれる。この読取走査モジュールは、原稿台の下方に平行に配置したレール上を移動するキャリッジに搭載されたもので、このキャリッジは駆動用としての駆動モータ等により、この駆動モータの軸に取り付けられたモータギアに噛合する伝達ギアからこの伝達ギアの回動軸に取り付けられた伝達プーリに張架された駆動ベルトを介して移動される。
【０００３】
しかしながら、読取走査モジュールを駆動モータにより、伝達ギアや駆動ベルト等を介して移動させる場合は、駆動モータ、モータギアと伝達ギアとの噛合い、伝達プーリと駆動ベルトの噛合いなどによる振動が、当該各部品を固定する部材を介して本体装置を共振により共鳴させてしまっていた。このため、原稿を読取走査モジュールで読み取る際に、本体装置の共鳴により本体装置に組み込まれる読取走査モジュールの移動精度が劣化してしまうので、読み取る画像情報の精度をも劣化させてしまっていた。
【０００４】
このような問題に対応するために駆動モータ、伝達ギア、駆動ベルトの振動が本体装置へ伝達されるのを抑えるための手段として、たとえば、本体装置と駆動モータ並びに本体装置伝達ギアとの間に緩衝部材を介在させるものが実施されている（例えば、特許文献１参照）。
【特許文献１】特開２０００−２８７０３８号公報（図６、図７）
【発明の開示】
【発明が解決しようとする課題】
【０００５】
しかしながら、かかる従来の技術では以下の問題が生じる。
【０００６】
即ち、従来の技術においては、駆動モータ及び伝達ギアを緩衝部材を介在させて本体装置に取り付けるので、駆動モータ及び伝達ギアの振動により本体装置が共振して共鳴するのを抑制することができる。
【０００７】
しかし、図８に示すように、駆動モータ８０１が振動すると、緩衝部材８０２が変形することによって、緩衝部材８０３を介在させて本体装置８０４に取り付けられる伝達ギア８０５の軸８０６は変位しないが、駆動モータ８０１本体に固定される軸８０７は変位するので、伝達ギア８０５の軸８０６と駆動モータ８０１の軸８０７とが傾き、モータギア８０８と伝達ギア８０５との噛合が変位する事態が生じる。
【０００８】
このため、駆動モータ８０１の軸８０７の回転が適切に伝達されず、原稿を読取走査モジュールで読み取る際に読取走査モジュールの移動精度が劣化してしまい、読み取る画像情報の精度をも劣化させてしまうといった問題が発生する。
【０００９】
本発明は、かかる問題点に鑑みてなされたものであり、駆動モータ及び伝達ギアによる振動の読取キャリッジが組み込まれる本体装置への伝達並びに緩衝部材の変形による読取キャリッジの移動精度の低下を回避して高解像度・高精度の画像品質で画像を読み取ることができる読取キャリッジ駆動機構並びにこれを備えた画像読取装置及び複写機を提供することを目的とする。
【課題を解決するための手段】
【００１０】
本発明は、本体装置に組み込まれ原稿上の情報を主走査ライン単位に読み取りつつ副走査移動する読取キャリッジと、軸受けを支点に回転する駆動軸を有する駆動源と、駆動源の駆動軸の回転に応じて読取キャリッジを副走査移動させる移動手段と、駆動軸に連結され当該駆動軸の回転を移動手段に伝達する伝達手段と、を備えた読取キャリッジ駆動機構において、駆動源を防振弾性体を介して本体装置に固定し、伝達手段を本体装置に固定された駆動源に対して取り付けるようにしたものである。
【発明の効果】
【００１１】
本発明は、駆動モータ及び伝達ギアの振動の読取キャリッジが組み込まれる本体装置への伝達並びに緩衝部材の変形による読取キャリッジの移動精度の低下を回避して高解像度・高精度の画像品質で画像を読み取ることができる。
【発明を実施するための最良の形態】
【００１２】
本発明の第１の態様に係る読取キャリッジ駆動機構は、本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられる構成を採る。
【００１３】
この構成によれば、駆動源は、防振弾性体を介して本体装置に固定されるので、駆動源の振動が、読取キャリッジが組み込まれる本体装置へ伝達されるのを防止することができる。また、伝達手段は、本体装置でなく、本体装置に固定された駆動源に対して取り付けられるので、防振弾性体の防振作用により、伝達手段の振動が、読取キャリッジが組み込まれる本体装置へ伝達されるのを防止することができる。さらに、伝達手段は、本体装置に固定された駆動源に対して取り付けられるので、駆動源の振動などにより、防振弾性体が変形しても駆動軸と伝達手段とは何の影響を受けることなく、駆動軸とこの駆動軸に連結される伝達手段とが同じ方向に変位する。したがって、駆動軸と伝達手段との噛合が変位することもなく、伝達手段が偏芯する事態を確実に回避することができる。このため、読取キャリッジの動作を安定化させることにより、高解像度・高精度の画像品質で画像を読取ることができる。
【００１４】
本発明の第２の態様は、第１の態様に係る読取キャリッジ駆動機構において、前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有する構成を採る。
【００１５】
この構成によれば、駆動伝達系におけるギア同士及びプーリとベルトとははす歯状に噛合しているので、噛み合い率が大きくなり噛合時の振動を抑制することができる。
【００１６】
本発明の第３の態様は、第１の態様に係る読取キャリッジ駆動機構において、前記駆動軸における前記伝達手段と連結された端部と反対側の端部にフライホイール付きダンパーを備える構成を採る。
【００１７】
この構成によれば、駆動源の振動などにより駆動軸に回転ムラが発生しても、フライホイール付きダンパーにより回転ムラが吸収されるので、回転ムラの発生を抑制することができる。
【００１８】
本発明の第４の態様は、第１の態様に係る読取キャリッジ駆動機構において、前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結される構成を採る。
【００１９】
この構成によれば、伝達手段を保持部材に保持させる工程で当該伝達手段が駆動軸に連結されるので、特別な機構を必要とせず簡単かつ容易に伝達手段を保持部材に保持させると同時に駆動軸に連結させることができる。
【００２０】
本発明の第５の態様は、第４の態様に係る読取キャリッジ駆動機構において、前記保持部材は、金属性である構成を採る。
【００２１】
この構成によれば、駆動源に回転による熱が発生しても、駆動源に固定された金属性保持部材により放熱することができるので、駆動源の熱による障害を抑制することができる。
【００２２】
本発明の第６の態様に係る画像読取装置は、本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられる構成を採る。
【００２３】
この構成によれば、駆動源は、防振弾性体を介して本体装置に固定されるので、駆動源の振動が、読取キャリッジが組み込まれる本体装置へ伝達されるのを防止することができる。また、伝達手段は、本体装置でなく、本体装置に固定された駆動源に対して取り付けられるので、防振弾性体の防振作用により、伝達手段の振動が、読取キャリッジが組み込まれる本体装置へ伝達されるのを防止することができる。さらに、伝達手段は、本体装置に固定された駆動源に対して取り付けられるので、駆動源の振動などにより、防振弾性体が変形しても駆動軸と伝達手段とは何の影響を受けることなく、駆動軸とこの駆動軸に連結される伝達手段とが同じ方向に変位する。したがって、駆動軸と伝達手段との噛合が変位することもなく、伝達手段が偏芯する事態を確実に回避することができる。このため、読取キャリッジの動作を安定化させることにより、高解像度・高精度の画像品質で画像を読取ることができる。
【００２４】
本発明の第７の態様は、第６の態様に係る画像読取装置において、前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有する構成を採る。
【００２５】
この構成によれば、駆動伝達系におけるギア同士及びプーリとベルトとははす歯状に噛合しているので、噛み合い率が大きくなり噛合時の振動を抑制することができる。
【００２６】
本発明の第８の態様は、第６の態様に係る画像読取装置において、前記駆動軸における前記伝達手段と連結された端部と反対側の端部にフライホイール付きダンパーを備える構成を採る。
【００２７】
この構成によれば、駆動源の振動などにより駆動軸に回転ムラが発生しても、フライホイール付きダンパーにより回転ムラが吸収されるので、回転ムラの発生を抑制することができる。
【００２８】
本発明の第９の態様は、第６の態様に係る画像読取装置において、前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結される構成を採る。
【００２９】
この構成によれば、伝達手段を保持部材に保持させる工程で当該伝達手段が駆動軸に連結されるので、特別な機構を必要とせず簡単かつ容易に伝達手段を保持部材に保持させると同時に駆動軸に連結させることができる。
【００３０】
本発明の第１０の態様は、第９の態様に係る画像読取装置において、前記保持部材は、金属性である構成を採る。
【００３１】
この構成によれば、駆動源に回転による熱が発生しても、駆動源に固定された金属性保持部材により放熱することができるので、駆動源の熱による障害を抑制することができる。
【００３２】
本発明の第１１の態様に係る複写機は、本体装置に組み込まれ原稿上の情報を主走査ライン単位に読み取りつつ副走査移動する読取キャリッジと、軸受けを支点に回転する駆動軸を有する駆動源と、前記駆動軸の回転に応じて前記読取キャリッジを副走査移動させる移動手段と、前記駆動軸に連結され当該駆動軸の回転を前記移動手段に伝達する伝達手段と、を具備し、前記駆動源は防振弾性体を介して前記本体装置に固定され、前記伝達手段は前記本体装置に固定された前記駆動源に対して取り付けられる構成を採る。
【００３３】
この構成によれば、駆動源は、防振弾性体を介して本体装置に固定されるので、駆動源の振動が、読取キャリッジが組み込まれる本体装置へ伝達されるのを防止することができる。また、伝達手段は、本体装置でなく、本体装置に固定された駆動源に対して取り付けられるので、防振弾性体の防振作用により、伝達手段の振動が、読取キャリッジが組み込まれる本体装置へ伝達されるのを防止することができる。さらに、伝達手段は、本体装置に固定された駆動源に対して取り付けられるので、駆動源の振動などにより、防振弾性体が変形しても駆動軸と伝達手段とは何の影響を受けることなく、駆動軸とこの駆動軸に連結される伝達手段とが同じ方向に変位する。したがって、駆動軸と伝達手段との噛合が変位することもなく、伝達手段が偏芯する事態を確実に回避することができる。このため、読取キャリッジの動作を安定化させることにより、高解像度・高精度の画像品質で画像を読取ることができる。
【００３４】
本発明の第１２の態様は、第１１の態様に係る複写機において、前記駆動軸は第１のはす歯ギアを有し、前記伝達手段は前記第１のはす歯ギアに噛合する第２のはす歯ギア及びはす歯プーリとこれらを回転自在に保持する軸とを有し、前記移動手段は前記はす歯プーリに噛合するはす歯ベルトを有する構成を採る。
【００３５】
この構成によれば、駆動伝達系におけるギア同士及びプーリとベルトとははす歯状に噛合しているので、噛み合い率が大きくなり噛合時の振動を抑制することができる。
【００３６】
本発明の第１３の態様は、第１１の態様に係る複写機において、前記駆動軸における前記伝達手段と連結された端部と反対側の端部にフライホイール付きダンパーを備える構成を採る。
【００３７】
この構成によれば、駆動源の振動などにより駆動軸に回転ムラが発生しても、フライホイール付きダンパーにより回転ムラが吸収されるので、回転ムラの発生を抑制することができる。
【００３８】
本発明の第１４の態様は、第１１の態様に係る複写機において、前記伝達手段は、当該伝達手段を回転自在に保持する軸を備え前記駆動源に固定される保持部材を介して前記駆動源に取り付けられ、前記保持部材の軸に当該伝達手段を保持させる工程で前記駆動軸に連結される構成を採る。
【００３９】
この構成によれば、伝達手段を保持部材に保持させる工程で当該伝達手段が駆動軸に連結されるので、特別な機構を必要とせず簡単かつ容易に伝達手段を保持部材に保持させると同時に駆動軸に連結させることができる。
【００４０】
本発明の第１５の態様は、第１４の態様に係る複写機において、前記保持部材は、金属性である構成を採る。
【００４１】
この構成によれば、駆動源に回転による熱が発生しても、駆動源に固定された金属性保持部材により放熱することができるので、駆動源の熱による障害を抑制することができる。
【００４２】
以下、本発明の実施の形態について図面を参照して詳細に説明する。
【００４３】
図１は、本発明の一実施の形態に係る読取キャリッジ駆動機構を備える画像読取装置（ユニット）を搭載する複写機１００の概略構成図である。
【００４４】
図１に示す複写機１００において、本実施の形態に係る読取キャリッジ駆動機構を備える画像読取ユニット１０１は、装置本体の上部に設けられ、その下方に給紙、転写、記録、定着の処理を実行する本体ユニット１０２が設けられている。
【００４５】
本体ユニット１０２の下方領域に複数段からなる給紙カセット１０３〜１０５が設置されている。給紙カセット１０３〜１０５にセットされた用紙束から最上面の用紙が不図示のピックアップローラによって取り出される。給紙カセット１０３〜１０５から取り出された用紙は、本体ユニット１０２の底部から上方に向けて形成された紙パス上を給紙ローラ１０６〜１０８により搬送ローラ１０９まで搬送される。
【００４６】
搬送ローラ１０９によって搬送された用紙は、レジストローラ１１０に渡される。レジストローラ１１０による用紙の搬送先には、感光体ドラム１１１が配置されている。感光体ドラム１１１の近傍に、感光体ドラム１１１の表面を一様に帯電する帯電器１１２、帯電した感光体ドラム１１１の表面に静電潜像を形成するＬＳＵ（Laser Scan Unit）１１３、ＬＳＵ１１３が形成した静電潜像にトナーを付着することでトナー像を形成する現像器１１４、感光体ドラム１１１の表面に形成されたトナー像を搬送される用紙に転写する転写器１１５及びトナー像の転写後の感光体ドラム１１１の表面をクリーニングするクリーニングユニット１１６が配置されている。
【００４７】
トナー像が転写された用紙は、搬送ベルト１１７により定着ユニット１１８に送り込まれる。定着ユニット１１８は、定着ローラ１１９と、定着ローラ１１９に対向配置された加圧ローラ１２０とを備えている。定着ローラ１１９が用紙の記録面に熱を加え、加圧ローラ１２０が用紙を定着ローラ１１９との間で押圧することにより、用紙にトナー画像が定着する。定着ユニット１１８から排出された用紙は、排出ローラ１２１により排紙トレイ１２２上に排出される。
【００４８】
画像読取ユニット１０１は、上面に原稿Ｄが載置される原稿台ガラス１２３を備える。この原稿台ガラス１２３の内側に読取キャリッジ駆動機構を備える。この読取キャリッジ駆動機構は、原稿Ｄの情報を主走査ライン単位に読み取りつつ副走査移動する読取キャリッジと、後述する駆動ブロックとから構成される。画像読取ユニット１０１は、原稿台ガラス１２３の内側を副走査方向（図１に示す左右方向）に移動する等速ユニット１２４及び半速ユニット１２５を備える。読取キャリッジは、等速ユニット１２４に取り付けられる。
【００４９】
等速ユニット１２４及び半速ユニット１２５に、駆動ワイヤドラム１２６及び従動ワイヤドラム１２７に張架された駆動ワイヤ１２８が連結されている。等速ユニット１２４及び半速ユニット１２５は、駆動ワイヤドラム１２６の回転に応じて副走査方向に移動する。半速ユニット１２５は、等速ユニット１２４の半分の速度で移動するように設定されている。これにより、原稿台ガラス１２３上の原稿Ｄと等速ユニット１２４のミラーＭ１との間、等速ユニット１２４のミラーＭ１と半速ユニット１２５のミラーＭ２との間、半速ユニット１２５のミラーＭ２とミラーＭ３との間及び半速ユニット１２５のミラーＭ３とレンズ１２９を介したイメージセンサ１３０との間の距離の総和は常に一定に維持される。
【００５０】
図２及び図３は、それぞれ本実施の形態に係る画像読取ユニット１０１の概略上面図及び概略斜視図である。
【００５１】
同図に示すように、駆動ワイヤドラム１２６は、この駆動ワイヤドラム１２６を駆動する駆動ブロック２０１に連結されている。駆動ブロック２０１は、駆動ブロック２０１は、駆動源としての駆動モータ２０２、この駆動モータ２０２の駆動軸の一端に取り付けられたモータギア２０３に噛合する伝達手段としての伝達ギア２０４、この伝達ギア２０４と一体に成型され駆動ベルト２０５の一端が張架される伝達プーリ２０６、駆動ベルト２０５の他端が張架される駆動プーリ２０７及び駆動プーリ２０７に固定された回動軸２０８から構成される。回動軸２０８が駆動ワイヤドラム１２６に固定されることで、駆動ブロック２０１の駆動が駆動ワイヤドラム１２６に伝達される。
【００５２】
図４は、本実施の形態に係る読取キャリッジ駆動機構の駆動ブロック２０１の拡大図である。
【００５３】
同図に示すように、駆動ブロック２０１は、モータギア２０３側の面において、画像読取ユニット１０１の本体フレームにモータブラケット４０１により取り付けられる。より具体的には、モータギア２０３並びに伝達ギア２０４及び伝達プーリ２０６を画像読取ユニット１０１側に突出した形態でモータブラケット４０１に対して取り付けられている。モータブラケット４０１は、画像読取ユニット１０１の筐体に固定されるものである。図２及び図３においては、このモータブラケット４０１は省略している。
【００５４】
駆動モータ２０２のモータギア２０３、このモータギア２０３に噛合する伝達ギア２０４及び伝達プーリ２０６は、同図に示すように、それぞれはす歯ギアで構成されている。また、伝達プーリ２０６に噛合する駆動ベルト２０５も、同様にはす歯ベルトで構成されている。このように、駆動伝達系におけるギア同士及びプーリとベルトとを、はす歯状に噛合しているので、噛み合い率が大きくなり噛合時の振動を抑制することができる。
【００５５】
図５は、本実施の形態に係る読取キャリッジ駆動機構の駆動ブロック２０１の主要部の組立図である。
【００５６】
駆動ブロック２０１を組み立てる際、同図に示すように、まず、伝達ギア２０４及び伝達プーリ２０６の保持部材としての金属板５０１を駆動モータ２０２に被せる。金属板５０１には、駆動モータ２０２のモータギア２０３に対応して開口部５０２が形成されている。また、駆動モータ２０２のモータギア２０３側の端部には、開口部５０２に対して嵌合する円筒状の段差部５１３が形成されている。さらに、伝達ギア２０４及び伝達プーリ２０６を回転自在に保持する軸５０３が設けられている。この軸５０３の先端部には、伝達ギア２０４等を固定する、後述するＥリング５１２の溝が形成されている。
【００５７】
この金属板５０１の上から防振弾性体としてのゴム５０４を一対の金属板５０５Ａ及び５０５Ｂで挟んだ防振部材５０６を被せる。防振部材５０６においても駆動モータ２０２のモータギア２０３に対応する位置が開口している。なお、本実施の形態では、防振弾性体としてゴム５０４を例として説明するが、これに限定されない。そして、金属板５０１側の金属板５０５Ａのネジ穴からネジ５０７で金属板５０１及び防振部材５０６を駆動モータ２０２に固定する。
【００５８】
その後、防振部材５０６が固定された駆動モータ２０２をモータブラケット４０１に固定する。具体的には、モータブラケット４０１側の金属板５０５Ｂのネジ穴に対してモータブラケット４０１側からネジ５０８で固定する。モータブラケット４０１には、駆動モータ２０２のモータギア２０３に対応する位置に開口部５０９が形成されている。また、金属板５０１の軸５０３に対応する位置に開口部５１０が形成されている。
【００５９】
モータブラケット４０１に駆動モータ２０２を固定すると、モータブラケット４０１に形成された開口部５０９及び５１０からそれぞれモータギア２０３及び軸５０３が突出した状態となる。そして、開口部５１０から突出した軸５０３に対して伝達ギア２０４及び伝達プーリ２０６を取り付ける。このとき、伝達ギア２０４は、モータギア２０３と噛合する。このように駆動モータ２０２に固定された金属板５０１上の軸５０３に伝達ギア２０４等を取り付けるだけでモータギア２０３と噛合させることができるので、これらのギア同士を噛合させる際に面倒な位置決め作業を省略することができる。そして、この伝達ギア２０４及び伝達プーリ２０６を貫通した軸５０３の先端部にワッシャ５１１を介してＥリング５１２で固定する。
【００６０】
図６は、本実施の形態に係る読取キャリッジ駆動機構の駆動ブロック２０１の主要部の組み立て後の上面図である。
【００６１】
組み立てが完了すると、同図に示すように、駆動ブロック２０１は、モータギア２０３の歯と伝達ギア２０４の歯が噛合った状態となっている。このように組み立てられた状態において、伝達ギア２０４等を保持する軸５０３は、上述のように金属板５０１の一定位置に設けられている。一方、この金属板５０１は、ネジで駆動モータ２０２に固定されている。このため、駆動モータ２０２の駆動軸と軸５０３とは、常に一定の位置関係を維持するようになっている。したがって、駆動モータ２０２の振動などにより、駆動モータ２０２とモータブラケット４０１との間の防振部材５０６のゴム５０４が変位した場合であっても、駆動モータ２０２のモータギア２０３と伝達ギア２０４とは常に噛合った状態で維持されることとなる。
【００６２】
なお、本実施の形態に係る読取キャリッジ駆動機構の駆動ブロック２０１は、駆動モータ２０２の駆動軸における伝達ギア２０４等と反対側の端部にダンパー付きフライホイール６０１を備えている。このように駆動モータ２０２の端部にフライホイール付きダンパー６０１を設けることで駆動モータ２０２の振動などにより駆動軸に回転ムラが発生しても、フライホイール付きダンパー６０１により回転ムラが吸収されるので、回転ムラの発生を抑制することができる。
【００６３】
また、本実施の形態に係る読取キャリッジ駆動機構においては、駆動モータ２０２に取り付けられる保持部材を金属（金属板５０１）で構成している。このため、駆動モータ２０２に回転による熱が発生した場合であっても、その熱を金属板５０１により放熱することができるので、駆動モータ２０２の熱による障害を抑制することができる。
【００６４】
図７は、実施の形態に係る読取キャリッジ駆動機構の駆動ブロック２０１において、ゴム５０４が変位した場合の状態を説明するための図である。図７においては、ゴム５０４における図中上方が左方側に変位した場合について考える。なお、図７においては、説明の便宜上、駆動ブロック２０１の構成を簡略化している。
【００６５】
同図に示すように、ゴム５０４が変位した場合、駆動モータ２０２の駆動軸は、その先端がゴム５０４の変位分だけ図中下方に傾いた状態となる。しかし、この変位したゴム５０４を備える防振部材５０６は、駆動モータ２０２に固定された金属板５０１に固定されている。したがって、金属板５０１も同様に傾いた状態となっている。このため、金属板５０１に設けられた軸５０３も、同様にその先端は同様に傾いた状態となっている。この結果、駆動モータ２０２の駆動軸に固定されたモータギア２０３と軸５０３に取り付けられた伝達ギア２０４とは、一定の位置関係を維持した状態となっている。
【００６６】
このように本実施の形態に係る読取キャリッジ駆動機構によれば、駆動モータ２０２は、ゴム５０４を備える防振部材５０６を介してモータブラケット４０１に固定されるので、駆動モータ２０２の振動が、読取キャリッジが組み込まれる本体フレームへ伝達されるのを防止することができる。
【００６７】
また、伝達ギア２０４及び伝達プーリ２０６は、モータブラケット４０１に固定された駆動モータ２０２に取り付けられるので、ゴム５０４を備える防振部材５０６の防振効果により伝達ギア２０４等の振動が、読取キャリッジが組み込まれる本体フレームへ伝達されるのを防止することができる。
【００６８】
さらに、伝達ギア２０４等は、モータブラケット４０１でなく、駆動モータ２０２に対して取り付けられている。このため、駆動モータ２０２の振動などによりゴム５０４が変形した場合であっても、駆動モータ２０２の駆動軸と伝達ギア２０４とは何の影響を受けることなく、駆動軸のモータギア２０３とこのモータギア２０３に噛合する伝達ギア２０４とが同じ方向に変位する。したがって、モータギア２０３と伝達ギア２０４との噛合が変位することもなく、伝達ギア２０４が偏芯する事態を確実に防止することができる。この結果、読取キャリッジの動作を安定化させることができるので、高解像度・高精度の画像品質で画像を読み取ることができる。
【００６９】
特に、本実施の形態に係る画像読取ユニット１０１においては、駆動モータ２０２の円筒状の段差部５１３が金属板５０１の開口部５０２に嵌合することにより、伝達ギア２０４は、駆動モータ２０２に固定された金属板５０１上の軸５０３に回転自在に保持されると同時に確実かつ高精度にモータギア２０３に噛合するように設けてられている。このため、伝達ギア２０４を軸５０３に取り付けるだけでモータギア２０３と噛合させることができるので、特別な機構を必要とせず、簡単かつ容易に伝達ギア２０４をモータギア２０３に噛合させることができる。
【００７０】
なお、本実施の形態においては、金属板５０１上の軸５０３を介して駆動モータ２０２に伝達ギア２０４等を取り付けて伝達ギア２０４等を駆動モータ２０２と一体とした構成について説明している。しかし、これに限られず、駆動モータ２０２と伝達ギア２０４等を一体とした構成で実現できれば、金属板５０１を介さず、駆動モータ２０２の所定位置に直接伝達ギア２０４等を取り付ける構成としてもよい。このように変更した場合であっても、本実施の形態と同様の効果を得ることができる。
【産業上の利用可能性】
【００７１】
本発明に係る読取キャリッジ駆動機構並びにこれを備える画像読取装置及び複写機は、駆動モータ及び伝達ギアの振動の読取キャリッジが組み込まれる本体装置への伝達並びに緩衝部材の変形による読取キャリッジの移動精度の低下を回避して高解像度・高精度の画像品質で画像を読み取ることを可能とする点で有用である。
【図面の簡単な説明】
【００７２】
【図１】本発明の一実施の形態に係る読取キャリッジ駆動機構を備える画像読取装置（ユニット）を搭載する複写機の概略構成図
【図２】上記実施の形態に係る画像読取ユニットの概略上面図
【図３】上記実施の形態に係る画像読取ユニットの概略斜視図
【図４】上記実施の形態に係る読取キャリッジ駆動機構の駆動ブロックの拡大図
【図５】上記実施の形態に係る読取キャリッジ駆動機構の駆動ブロックの主要部の組立図
【図６】上記実施の形態に係る読取キャリッジ駆動機構の駆動ブロックの主要部の組み立て後の上面図
【図７】上記実施の形態に係る読取キャリッジ駆動機構の駆動ブロックにおいて、ゴムが変位した場合の状態を説明するための図
【図８】従来の画像読取装置において緩衝部材が変位した場合における駆動ギア周辺の状態を説明するための図
【符号の説明】
【００７３】
１００  複写機
１０１  画像読取装置（ユニット）
１０２  本体ユニット
１２３  原稿台ガラス
１２４  等速ユニット
１２５  半速ユニット
２０１  駆動ブロック
２０２  駆動モータ
２０３  モータギア
２０４  伝達ギア
２０５  駆動ベルト
２０６  伝達プーリ
２０７  駆動プーリ
２０８  駆動軸
４０１  モータブラケット
５０１  金属板
５０３  軸
５０４  ゴム
５０６  防振部材
５１３  段差部
６０１  フライホイール付きダンパー
【図１】
2005062698.tif 000003
【図２】
2005062698.tif 000004
【図３】
2005062698.tif 000005
【図４】
2005062698.tif 000006
【図５】
2005062698.tif 000007
【図６】
2005062698.tif 000008
【図７】
2005062698.tif 000009
【図８】
2005062698.tif 000010